(57)【要約】【目的】安定した状態で複数本の配管を並設状態で抱持支持可能な配管用フロアバンドを提供する。【構成】３本以上のボルトを立設状態で並設固定してあり、固定面に取り付けられる１つの基板と、隣り合った全てのボルト間で配管を抱持する半割環状バンド部と、３本以上のボルトを挿通するボルト孔が形成されている取付部とを有する上・下一対の連接ブリッジ体と、  前記取付部の各々を前記３本以上のボルトに前記基板から一定の高さに固定するため該取付部の上・下に位置する２つ１組のナットと、  を有し、  前記連接ブリッジ体が、上・下別体の帯状体に間隔を明けて半割環状バンド部が複数個並設されるように曲折され、且つ左・右端縁と半割環状バンド部の間にボルトに対する取付部を有する帯状上連接ブリッジ体と帯状下連接ブリッジ体とから構成され、且つ取付部のボルト孔の少なくとも一部が、配管軸と略平行方向に開放部を有する切込溝であることを特徴とする。【選択図】  図１
2010281455.tif 000002
【特許請求の範囲】
【請求項１】
床面等の固定面から立ち上げた状態で複数本の配管を並設状態で支持する配管用フロアバンドにおいて、
３本以上のボルトを立設状態で並設固定してあり、前記固定面に取り付けられる１つの基板と、隣り合った全てのボルト間で配管を抱持する半割環状バンド部と、前記３本以上のボルトを各々挿通するボルト孔が形成されている取付部とを有する上・下一対の連接ブリッジ体と、
該上・下一対の連接ブリッジ体の前記取付部の各々を前記３本以上のボルトに前記基板から一定の高さに固定するため該取付部の上・下に位置する２つ１組のナットと、
を有し、
前記上・下一対の連接ブリッジ体が、上・下別体の帯状体に間隔を明けて半割環状バンド部が複数個並設されるように曲折され、且つ左・右端縁と半割環状バンド部の間にボルトに対する前記取付部を有する帯状上連接ブリッジ体と帯状下連接ブリッジ体とから構成されており、且つ前記取付部に形成されているボルト孔の少なくとも一部が、配管軸と略平行方向に開放部を有する切込溝であることを特徴とする配管用フロアバンド。
【請求項２】
同一肉厚の帯状防振ゴムの一個又は複数個を、上・下一対の帯状連接ブリッジ体の半割環状バンド部の内周に配設して配管の径の大小に対応させる構成であることを特徴とする請求項１に記載の配管用フロアバンド。
【発明の詳細な説明】
【技術分野】
【０００１】
本発明は配管用フロアバンドに関し、詳しくは床面等の固定面から立ち上げた状態で複数本の配管を並設状態で支持する配管用フロアバンドに関する。
【背景技術】
【０００２】
従来、複数本の配管を並設状態で支持する技術としては、特許文献１に記載のものなどが知られている。
【０００３】
この技術では、台座に起立した２本の全螺子間に平板を架け渡し、該平板にナット止めした複数本のＵボルトの夫々によって複数本の配管の夫々を並設状態で支持するものである。
【先行技術文献】
【特許文献】
【０００４】
【特許文献１】実開昭５６−１１３２８４号公報
【発明の概要】
【発明が解決しようとする課題】
【０００５】
しかしこの技術では、配管の抱持がＵボルトによって行われるため、配管外周の略半分しか抱持できず、しかもかかる抱持もＵボルトであるため線接触での抱持である。
従って、抱持支持が安定しないだけでなく、抱持支持する配管の種類や材質、例えば、比較的軟質な銅管等の場合では、局部的な圧迫によって配管に凹みが生じたりすることがあった。
【０００６】
そこで本発明の課題は、安定した状態で複数本の配管を並設状態で抱持支持可能な配管用フロアバンドを提供することにある。
【課題を解決するための手段】
【０００７】
本発明の上記課題は、下記構成によって達成される。
【０００８】
１．床面等の固定面から立ち上げた状態で複数本の配管を並設状態で支持する配管用フロアバンドにおいて、
３本以上のボルトを立設状態で並設固定してあり、前記固定面に取り付けられる１つの基板と、隣り合った全てのボルト間で配管を抱持する半割環状バンド部と、前記３本以上のボルトを各々挿通するボルト孔が形成されている取付部とを有する上・下一対の連接ブリッジ体と、
該上・下一対の連接ブリッジ体の前記取付部の各々を前記３本以上のボルトに前記基板から一定の高さに固定するため該取付部の上・下に位置する２つ１組のナットと、
を有し、
前記上・下一対の連接ブリッジ体が、上・下別体の帯状体に間隔を明けて半割環状バンド部が複数個並設されるように曲折され、且つ左・右端縁と半割環状バンド部の間にボルトに対する前記取付部を有する帯状上連接ブリッジ体と帯状下連接ブリッジ体とから構成されており、且つ前記取付部に形成されているボルト孔の少なくとも一部が、配管軸と略平行方向に開放部を有する切込溝であることを特徴とする配管用フロアバンド。
【０００９】
２．同一肉厚の帯状防振ゴムの一個又は複数個を、上・下一対の帯状連接ブリッジ体の半割環状バンド部の内周に配設して配管の径の大小に対応させる構成であることを特徴とする上記１に記載の配管用フロアバンド。
【００１０】
本発明の実施例として下記３が挙げられる。
【００１１】
３．床面等の固定面から立ち上げた状態で、第１配管及び第２配管の２本の配管、又は第１配管、第２配管及び第３配管の３本の配管を、並設状態で支持する配管用フロアバンドにおいて、
下記［Ｉ］又は［ＩＩ］の構成を有することを特徴とする配管用フロアバンド。
［Ｉ］の構成
［Ｉ−１］前記固定面に取り付けられる１つの基板に、第１ボルト、第２ボルト及び第３ボルトを立設状態で並設固定してあり、
［Ｉ−２］該第１ボルト、第２ボルト及び第３ボルトに取り付けられる第１取付部、第２取付部及び第３取付部と、該第１取付部及び第２取付部の間で前記第１配管を抱持する第１半割環状バンド部と、該第２取付部及び第３取付部の間で前記第２配管を抱持する第２半割環状バンド部とからなる上・下一対の帯状連接ブリッジ体を有し、
［Ｉ−３］該上・下一対の帯状連接ブリッジ体は、上・下別体の帯状体を曲折することにより、前記第１取付部、第１半割環状バンド部、第２取付部、第２半割環状バンド部及び第３取付部をこの順で形成してある帯状上連接ブリッジ体と帯状下連接ブリッジ体とからなっており、
［Ｉ−４］前記第１取付部、第２取付部及び第３取付部には、前記第１ボルト、第２ボルト及び第３ボルトを各々挿通するボルト孔が形成されており、
［Ｉ−５］該ボルト孔に挿通された第１取付部、第２取付部及び第３取付部は、該取付部の各々の上下に位置する２つ１組のナットによって、前記第１ボルト、第２ボルト及び第３ボルトに、前記基板から一定の高さに固定されており、
［Ｉ−６］且つ前記取付部に形成されているボルト孔の少なくとも一部が、配管軸と略平行方向に開放部を有する切込溝である構成。
［ＩＩ］の構成
［ＩＩ−１］前記固定面に取り付けられる１つの基板に、第１ボルト、第２ボルト、第３ボルト及び第４ボルトを立設状態で並設固定してあり、
［ＩＩ−２］該第１ボルト、第２ボルト、第３ボルト及び第４ボルトに取り付けられる第１取付部、第２取付部、第３取付部及び第４取付部と、該第１取付部及び第２取付部の間で前記第１配管を抱持する第１半割環状バンド部と、該第２取付部及び第３取付部の間で前記第２配管を抱持する第２半割環状バンド部と、該第３取付部及び第４取付部の間で前記第３配管を抱持する第３半割環状バンド部とからなる上・下一対の帯状連接ブリッジ体を有し、
［ＩＩ−３］該上・下一対の帯状連接ブリッジ体は、上・下別体の帯状体を曲折することにより、前記第１取付部、第１半割環状バンド部、第２取付部、第２半割環状バンド部、第３取付部、第３半割環状バンド部及び第４取付部をこの順で形成してある帯状上連接ブリッジ体と帯状下連接ブリッジ体とからなっており、
［ＩＩ−４］前記第１取付部、第２取付部、第３取付部及び第４取付部には、前記第１ボルト、第２ボルト、第３ボルト及び第４ボルトを各々挿通するボルト孔が形成されており、
［ＩＩ−５］該ボルト孔に挿通された第１取付部、第２取付部、第３取付部及び第４取付部は、該取付部の各々の上下に位置する２つ１組のナットによって、前記第１ボルト、第２ボルト、第３ボルト及び第４ボルトに、前記基板から一定の高さに固定されており、
［ＩＩ−６］且つ前記取付部に形成されているボルト孔の少なくとも一部が、配管軸と略平行方向に開放部を有する切込溝である構成。
【００１２】
本発明の参考例として下記が挙げられる。
【００１３】
（１）前記帯状上連接ブリッジ体の取付部のボルト孔の一つを除く他の全てのボルト孔が配管軸と略平行方向に開放部を有する切込溝であり、切込溝ではないボルト孔を支点として帯状上連接ブリッジ体が枢支回動して配管の抱持状態を開放可能な構成を有しており、帯状上連接ブリッジ体の取付部と帯状下連接ブリッジ体の取付部の少なくともいずれか一方には、他方の連接ブリッジ体の取付部の一部に掛止することで、切込溝の形成されている取付部がボルトから脱落するのを防止する掛止部が設けられていることを特徴とする上記１又は２に記載の配管用フロアバンド。
【００１４】
（２）３本以上のボルトを立設状態で並設してあり、床面等の固定面に取り付けられる基板と、
隣り合った全てのボルト間で配管を抱持する半割環状バンド部と、前記３本以上のボルトを各々挿通するボルト孔が形成されている取付部とを有する上・下一対の帯状連接ブリッジ体と、
該上・下一対の帯状連接ブリッジ体を前記３本以上のボルトに一定の高さに固定するナットとを有する配管用フロアバンドであって、
前記上・下一対の帯状連接ブリッジ体が、複数個の半割環状バンド部から成り、各半割環状バンド部の左・右端縁が延伸され、該延伸された部分がボルト孔を有する取付部であることを特徴とする配管用フロアバンド（図２参照）。
【００１５】
（３）帯状上連接ブリッジ体の各半割環状バンド部の左・右端縁延伸部分である取付部のいずれか一方のボルト孔が配管軸と略平行方向に開放部を有する切込溝であり、切込溝ではないボルト孔を支点として帯状上連接ブリッジ体の各半割環状バンド部が枢支回動して配管の抱持状態を開放可能な構成を有しており、帯状上連接ブリッジ体の各半割環状バンド部の取付部と帯状下連接ブリッジ体の各半割環状バンド部の取付部の少なくともいずれか一方には、他方の連接ブリッジ体の半割環状バンド部の取付部の一部に掛止することで、切込溝の形成されている取付部がボルトから脱落するのを防止する掛止部が設けられていることを特徴とする上記（２）に記載の配管用フロアバンド。
【００１６】
（４）同一肉厚の帯状防振ゴムの一個又は複数個を、上・下一対の帯状連接ブリッジ体の半割環状バンド部の内周に配設して配管の径の大小に対応させる構成であることを特徴とする上記（２）又は（３）に記載の配管用フロアバンド。
【発明の効果】
【００１７】
請求項１に示す本発明によれば、上・下一対の帯状連接ブリッジ体の半割環状バンド部によって配管の外周の全周を面接触で抱持支持することができるので、常に安定した状態で複数本の配管を並設状態で抱持支持可能な配管用フロアバンドを提供することができる。
【００１８】
また、上ナットを螺合したままの状態で、配管の抱持状態を開放して配管抱持位置に配管を案内することができる。さらに、作業時に特に紛失し易い部品であるナット類（ワッシャーを含む）を外すことなくボルトに螺合させたままで作業ができる。
【００１９】
さらに、請求項２に示す本発明によれば、上・下半割環状バンド部の内周に帯状防振ゴムを配設して配管の径の大小に対応させる構成であるので、異なる径の配管の抱持支持が可能である。
【図面の簡単な説明】
【００２０】
【図１】本発明に係る配管用フロアバンドの一実施例を示す正面図
【図２】本発明の参考例に係る配管用フロアバンドの他の実施例を示す正面図
【図３】本発明に係る配管用フロアバンドの他の実施例を示す斜視図
【図４】図１の他の実施例を示す正面図
【発明を実施するための形態】
【００２１】
以下、本発明の具体的構成について添付図面に基づき説明する。
【００２２】
本発明に係る配管用フロアバンドは、床面等の固定面から立ち上げた状態で複数本の配管を並設状態で支持するものであり、３本以上のボルトを立設状態で並設固定した１つの基板をベース部分としている。
【００２３】
図１に示す本発明の配管用フロアバンド１では、床面等の固定面に取り付けられる基板２に、４本のボルト３ａ・３ｂ・３ｃ・３ｄを立設状態で並設しており、全てのボルト３ａ・３ｂ・３ｃ・３ｄの間、即ち、３箇所において３本の配管を並設状態に支持するものである（図１では、配管は省略。）。図１において、８ａ・８ｂ・８ｃ・８ｄは基板１に点付溶接された基板ナットであり、前記ボルト３ａ・３ｂ・３ｃ・３ｄの立設に際して螺合するものである。尚、ボルト３ａ・３ｂ・３ｃ・３ｄは、基板ナット８ａ・８ｂ・８ｃ・８ｄを用いることなく、基板１に直接溶接してもよいし、基板１を部分的に打ち抜き立ち上げし、該立ち上げ部分の内側に雌ネジを切り、該雌ネジ部にボルト３ａ・３ｂ・３ｃ・３ｄを螺合する等の他の手段により立設固定してもよい。
【００２４】
３本の配管は、上・下一対から成る帯状連接ブリッジ体４・５の半割環状バンド部４１ａ・５１ａ、４１ｂ・５１ｂ及び４１ｃ・５１ｃによって上下から挟み込まれた状態で抱持されることになる。
【００２５】
帯状連接ブリッジ体４・５の両端縁と、各半割環状バンド部の４１ａと４１ｂ間、４１ｂと４１ｃ間、５１ａと５１ｂ間、５１ｂと５１ｃ間には、前記４本以上のボルト３ａ・３ｂ・３ｃ・３ｄに対する取付部４２ａ・４２ｂ・４２ｃ・４２ｄ・５２ａ・５２ｂ・５２ｃ・５２ｄを有する。各取付部４２ａ・４２ｂ・４２ｃ・４２ｄ・５２ａ・５２ｂ・５２ｃ・５２ｄには、ボルト３ａ・３ｂ・３ｃ・３ｄが挿通されるボルト孔が各々形成されている。
【００２６】
上記構成を有する上・下一対の帯状連接ブリッジ体４・５の前記取付部４２ａ・４２ｂ・４２ｃ・４２ｄ・５２ａ・５２ｂ・５２ｃ・５２ｄの各々は、下ナット６ａ・６ｂ・６ｃ・６ｄと上ナット７ａ・７ｂ・７ｃ・７ｄによって、ボルト３ａ・３ｂ・３ｃ・３ｄ毎に一定の高さに固定される。
【００２７】
尚、本実施例の図面ではワッシャーを省略しているが各取付部とナットとの間に噛ませた方が螺合が安定するので好ましいことは言うまでもない。
【００２８】
尚また、ボルト３ｂ・３ｃに固定される上ナット７ｂ・７ｃは螺合を省略することができるが、各配管の安定した抱持支持のためには、省略することなく螺合されている方が好ましく、本発明では、この好ましい態様に限定される。
【００２９】
さらに、ウォーターハンマー現象が生じ易い温水等、配管内を通る物質によっては、各取付部とナットとの間に防振ゴムを噛ませておくことが好ましい。防振性を高めるためには、基板１と固定面との間にも、板状の防振ゴムを介在させてもよい。
【００３０】
上・下一対の帯状連接ブリッジ体４・５は、図１に示すような夫々一枚の帯状板を加工したものが本発明である。即ち、前記上・下一対の連接ブリッジ体が、上・下別体の帯状体に間隔を明けて半割環状バンド部が複数個並設されるように曲折され、且つ左・右端縁と半割環状バンド部の間にボルトに対する前記取付部を有する帯状上連接ブリッジ体と帯状下連接ブリッジ体とから構成されているのが、本発明である。
尚、本発明の参考例として抱持する配管１本毎に独立した複数個から成る半割環状バンド部から成るものが挙げられるので、かかる参考例について図２に基づき説明する。
【００３１】
図２に示す本発明の参考例に係る配管用フロアバンド１は、上・下一対の帯状連接ブリッジ体１４・１５が、複数個の半割環状バンド部１４１ａ・１５１ａ、１４１ｂ・１５１ｂ及び１４１ｃ・１５１ｃから成り、各半割環状バンド部１４１ａ・１４１ｂ・１４１ｃ・１５１ａ・１５１ｂ・１５１ｃの左・右端縁が夫々延伸され、該延伸された各部分が取付部１４２ａＬ・１４２ａＲ、１４２ｂＬ・１４２ｂＲ、１４２ｃＬ・１４２ｃＲ、１５２ａＬ・１５２ａＲ、１５２ｂＬ・１５２ｂＲ、１５２ｃＬ・１５２ｃＲとなっている。そして、該取付部には、ボルト３ａ・３ｂ・３ｃ・３ｄが挿通されるボルト孔が各々形成されている。
【００３２】
図２に示す参考例によれば、並設状態で抱持支持する３本の配管を異なった高さに調整する必要がある場合に特に有効である。また、各半割環状バンド部として、従来の配管用フロアバンドに用いられていた半割環状バンド部を流用することができる。
【００３３】
また、図２に示す参考例における抱持支持の際、
（１）４本のボルト３ａ・３ｂ・３ｃ・３ｄに、先ず、下ナット６ａ・６ｂ・６ｃ・６ｄを螺合し、その後、帯状下連接ブリッジ１５を構成する半割環状バンド部１５１ａ・１５１ｂ・１５１ｃを取り付けた後、配管を載せ、その後、帯状上連接ブリッジ１４を構成する半割環状バンド部１４１ａ・１４１ｂ・１４１ｃを取り付けて、上ナット７ａ・７ｂ・７ｃ・７ｄを螺合して固定してもよいし、
或いは、
（２）４本のボルト３ａ・３ｂ・３ｃ・３ｄに、先ず、下ナット６ａ・６ｂ・６ｃ・６ｄを螺合し、その後、帯状下連接ブリッジ１５の一部材を構成する半割環状バンド部１５１ａを取り付けた後、１本目である左側の配管を載せ、そして帯状上連接ブリッジ１４の一部材を構成する半割環状バンド部１４１ａを取り付け、次に半割環状バンド部１５１ｂを取り付けた後、２本目である中央の配管を載せ、そして半割環状バンド部１４１ｂを取り付け、最後に、半割環状バンド部１５１ｃを取り付けた後、３本目である右側の配管を載せ、そして半割環状バンド部１４１ｃを取り付け、それから、上ナット７ａ・７ｂ・７ｃ・７ｄを螺合して固定してもよい。
【００３４】
上記（２）の場合、配管を支持する順番は上記の図面上左側からに限らず、施工場所の状況や配管設備状況によって支持する順番は適宜決められるものである。
【００３５】
次に図３に基づき、図１の配管用フロアバンドの他の実施例について説明する。
【００３６】
図３に示す配管用フロアバンド１では、帯状上連接ブリッジ体４の取付部４２ａ・４２ｂ・４２ｃ・４２ｄの各ボルト孔の内の一つ（４３ｄ）を除く他の全てのボルト孔４３ａ・４３ｂ・４３ｃが配管軸と略平行方向に開放部を有する切込溝となっているため、切込溝ではないボルト孔４３ｄを支点として帯状上連接ブリッジ体４が枢支回動することが可能となる。
【００３７】
従って、上ナット７ａ・７ｂ・７ｃ・７ｄを螺合したままの状態で、配管の抱持状態を開放することが可能となるので、この状態で、配管抱持位置に配管を案内することができる。
【００３８】
配管を案内した後、前記ボルト孔４３ｄを支点として帯状上連接ブリッジ体４を回動し、切込溝であるボルト孔４３ａ・４３ｂ・４３ｃを夫々ボルト３ａ・３ｂ・３ｃに挿通し、その後、上ナット７ａ・７ｂ・７ｃ・７ｄを締め付けることにより配管を抱持した状態で固定することができる。
【００３９】
図３に示す態様によれば、作業時に特に紛失し易い部品であるナット類（ワッシャーを含む）を外すことなくボルト３ａ・３ｂ・３ｃ・３ｄに螺合させたままで作業ができるという効果を有している。
【００４０】
尚、図３では、支点となるボルト孔を４３ｄとしたが、反対側の４３ａでもよいし、それ以外の４３ｂ或いは４３ｃであってもよい。支点となるボルト孔が４３ｂ或いは４３ｃのように端部のボルト孔ではない場合、支点以外のボルト孔の切込溝の開放方向は、支点となるボルト孔を中心にして左右で逆向きでなければならない。
【００４１】
更に図３に示す態様では、帯状上連接ブリッジ体４の取付部４２ａには、掛止部４４が設けられており、帯状下連接ブリッジ体５の取付部５２ａには、掛止部４４が掛止する被掛止部５４が設けられている。
【００４２】
掛止部４４及び被掛止部５４の存在により、ナット７ａ・７ｂ・７ｃ・７ｄ（及び／又は６ａ・６ｂ・６ｃ・６ｄ）に緩みが生じた場合であっても、各取付部４２ａ・４２ｂ・４２ｃがボルト３ａ・３ｂ・３ｃからの脱落を防止することができる。
【００４３】
掛止部４４は、帯状上連接ブリッジ体４と帯状下連接ブリッジ体５とが互いに掛止されていればよいので、帯状上連接ブリッジ体４の取付部４２ａに限らず、他の取付部に設けられていてもよいし、帯状下連接ブリッジ体５の取付部のいずれかに設けられていてもよいし、上下のいずれの帯状連接ブリッジ体４・５の取付部のいずれかに設けられていてもよい。
【００４４】
図３に示すような態様は、図２に示した参考例、即ち、抱持する配管１本毎に独立した複数個から成る半割環状バンド部から成るものにも適用することができる。
【００４５】
この場合には、帯状上連接ブリッジ体の各半割環状バンド部毎に左右の取付部のいずれか一方のボルト孔を配管軸と略平行方向に開放部を有する切込溝とし、切込溝ではない他方のボルト孔を支点として帯状上連接ブリッジ体の各半割環状バンド部を枢支回動して配管の抱持状態を開放可能とするものである。
【００４６】
即ち、半割環状バンド部一つ一つ夫々について、配管の抱持状態を開放できるものである。尚、この態様の場合、掛止部及び被掛止部についても半割環状バンド部毎に設けるものである。
【００４７】
次に図４に基づき、本発明に係る配管用フロアバンドの更に他の実施例について説明する。
【００４８】
配管抱持面である上・下一対の帯状連接ブリッジ体の半割環状バンド部４１ａ・５１ａ、４１ｂ・５１ｂ、４１ｃ・５１ｃの内周に同一肉厚の帯状防振ゴム９を配設することができる。配設する帯状防振ゴム９の枚数を調整することにより、抱持支持する配管の径の大小に対応させることができる。
【００４９】
即ち、図４において、上・下半割環状バンド部４１ａ・５１ａの内周には帯状防振ゴム９を配設せず、上・下半割環状バンド部４１ｂ・５１ｂの内周には帯状防振ゴム９を２枚、上・下半割環状バンド部４１ｃ・５１ｃの内周には帯状防振ゴム９を１枚、夫々配設することによって、異なる径の３本の配管を並設状態で支持することができる。
【００５０】
帯状防振ゴム９の配設は、枚数による調整だけでなく、複数種類の厚みのものを用意しておき、厚みで調整してもよい。
【００５１】
また本態様では、配管の径の大小に対応するためだけでなく、帯状防振ゴム９本来の機能である防振支持のために配設してもよいことは言うまでもないことである。
【００５２】
以上、本発明に係る配管用フロアバンドについて説明したが、本発明は上記に限定されず、種々の態様を採ることができる。基板２に立設するボルトの本数及び抱持支持する配管の数も本実施例に限定されず、３本以上のボルト間において２本以上の配管を抱持支持するものであれば本発明を適用することができるものである。
【符号の説明】
【００５３】
１  配管用フロアバンド
２  基板
３ａ・３ｂ・３ｃ・３ｄ  ボルト
４  帯状上連接ブリッジ体
４１ａ・４１ｂ・４１ｃ  半割環状バンド部
４２ａ・４２ｂ・４２ｃ・４２ｄ  取付部
４３ａ・４３ｂ・４３ｃ・４３ｄ  ボルト孔
４４  掛止部
５  帯状下連接ブリッジ体
５１ａ・５１ｂ・５１ｃ  半割環状バンド部
５２ａ・５２ｂ・５２ｃ・５２ｄ  取付部
５４  被掛止部
６ａ・６ｂ・６ｃ・６ｄ  下ナット
７ａ・７ｂ・７ｃ・７ｄ  上ナット
８ａ・８ｂ・８ｃ・８ｄ  基板ナット
９  帯状防振ゴム
１４  帯状上連接ブリッジ体
１４１ａ・１４１ｂ・１４１ｃ  半割環状バンド部
１４２ａ・１４２ｂ・１４２ｃ・１４２ｄ  取付部
１５  帯状下連接ブリッジ体
１５１ａ・１５１ｂ・１５１ｃ  半割環状バンド部
１５２ａ・１５２ｂ・１５２ｃ・１５２ｄ  取付部
【図１】
2010281455.tif 000003
【図２】
2010281455.tif 000004
【図３】
2010281455.tif 000005
【図４】
2010281455.tif 000006